(57)【特許請求の範囲】
【請求項１】
内部電流伝導要素と外部電流伝導要素（１４）との間の電気接触を確立するための少なくとも１つの接触要素（１６）を備え、
前記接触要素（１６）は、前記内部電流伝導要素と前記外部電流伝導要素（１４）との間の多点電気接触を確立するための複数のばね要素（１８）を備え、
前記ばね要素（１８）が前記外部電流伝導要素（１４）との電気接点を前記接触要素（１６）の半径方向外側で確立するように、また、前記内部電流伝導要素が大電流コネクタのプラグ側端部において前記ばね要素（１８）が前記接触要素（１６）の半径方向内側で前記内部電流伝導要素との接触を確立するようにハウジング（１０，１２）の内部に挿入できるように、前記接触要素（１６）が前記外部電流伝導要素（１４）とともに前記ハウジング（１０，１２）内に配置されており、
前記ハウジング（１０，１２）は、大電流コネクタのプラグ側端部において前記外部電流伝導要素（１４）の所定の部位を超えて軸方向に延在し、前記所定の部位の領域には、前記ハウジング（１０，１２）の内側で前記接触要素（１６）が突出したハウジングの部位（２６）に軸方向に寄りかかって固定されると同時に前記外部電流伝導要素（１４）が軸方向に固定されるように、半径方向内側に突出したハウジングの前記部位（２６）を備える
ことを特徴とする電流を伝導するための大電流コネクタ。
【請求項２】
前記接触要素（１６）は、断面が矩形に構成された
ことを特徴とする請求項１に記載の大電流コネクタ。
【請求項３】
前記接触要素（１６）は、各軸方向端部に矩形の支持フレーム（２０，２２）を有し、
前記ばね要素（１８）は、各軸方向端部において、前記支持フレーム（２０，２２）に機械的および電気的に接続されている
ことを特徴とする請求項１または請求項２に記載の大電流コネクタ。
【請求項４】
前記ばね要素（１８）は、薄板状に構成され、前記支持フレーム（２０，２２）に対して傾斜している
ことを特徴とする請求項３に記載の大電流コネクタ。
【請求項５】
少なくとも１つのラグ（２４）が、前記支持フレーム（２０，２２）の少なくとも一方の前記ばね要素（１８）から離れる方向を向いた、一方の軸方向端部に配置された
ことを特徴とする請求項３または請求項４に記載の大電流コネクタ。
【発明の詳細な説明】
【技術分野】
【０００１】
本発明は、請求項１の前提部によると、内部電流伝導要素と外部電流伝導要素との間に電気接触を確立するための少なくとも１つの接触要素を備えた電流を伝導するための大電流コネクタに関する。接触要素は、内部電流伝導要素と外部電流伝導要素との間で電気多点接触を確立するための複数のばね要素を備え、ばね要素が接触要素の半径方向外側に外部電流伝導要素との電気接触を確立するように、また、大電流コネクタのプラグ側端部において、ばね要素が接触要素の半径方向内側で内部電流伝導要素と電気接触を確立するように内部電流伝導要素をハウジングに挿入できるように、前記接触要素は、外部電流伝導要素とともにハウジング内に配置されている。
【背景技術】
【０００２】
ＤＥ  １０３  ２４  ４９２  Ｂ３は、大電流を流すことができる接続配置と、それに付随する接触要素を開示している。接触要素は、内部電流伝導要素と外部電流伝導要素との間に多点接触のための複数のばね要素を有する。ばね要素は、内部電流伝導要素の外部電流伝導要素への挿入に当たり、前記ばね要素がねじりを伴って回転するように、上側および下側環状支持要素の間のスリーブ型基礎構造内に配置される。
【発明の開示】
【発明が解決しようとする課題】
【０００３】
本発明の目的は、上記のようなタイプの大電流コネクタの応用範囲を拡大するとともに、製造および組立を改良することにある。
【課題を解決するための手段】
【０００４】
この目的は、請求項１において特徴づけられた特性を有する上記のようなタイプの大電流コネクタによって達成される。本発明の有利な実施形態については、その後の請求項で説明する。
【０００５】
上記のようなタイプの大電流コネクタは、本発明によると、ハウジングは、大電流コネクタのプラグ側端部において、外部電流伝導要素の所定の部位を超えて軸方向に延在し、前記所定の部位の領域には、接触要素がハウジングの内側で前記突出するハウジングの部位に軸方向に寄りかかって固定されると同時に外部電流伝導要素が軸方向に固定されるように半径方向内側に突出したハウジングの部位を備える。
【０００６】
これは、大電流コネクタ内での接触要素の軸方向の固定において、外部電流伝導要素には、新たなアンダーカットの必要はないが、ハウジングの組立時に自動的に軸方向に固定されるという利点を有する。これにより、製造コストと、大電流コネクタの組立てに必要な労力を削減することができる。
【０００７】
特に耐ねじれ構造で、内部および外部電流伝導要素に対し、多数の接点を有する大電流コネクタの構成は、接触要素が断面矩形に形成されていることにより達成される。大電流コネクタは、容易に矩形のコネクタハウジング内に内蔵させることもできる。さらに、矩形の内部および外部電流伝導要素用の経済的な大電流コネクタが利用可能であり、驚くべきことに、高電流も同時に伝導可能である。接触要素を矩形の構成にした結果、経済的および時間節約製造方法が大電流導体にも利用可能である。
【０００８】
接触要素は、それぞれの軸方向の端部に矩形の支持フレームを有しており、ばね要素は、機械的および電気的にそのそれぞれの軸方向の端部の支持フレームに接続されていることから、特に機械的に安定した大電流コネクタを得ることができる。
【０００９】
ばね要素が薄板状で、支持フレームに対して傾斜して構成されていることにより、ばね要素は、内部および外部電流伝導要素を繋ぎ合わせる特に高い接触力で、特に強いねじれ方向へのねじりを達成している。
【００１０】
少なくとも１つのラグがばね要素と反対側を向いた少なくとも１つの支持フレームの軸方向一端部に配置されていることにより、単純で機械的に信頼できる固定が達成される。前記ラグは、半径方向内側に突出するハウジング部位と接触する。
【図面の簡単な説明】
【００１１】
本発明について、図面を参照しながらさらに詳しく説明する。
【図１】図１は、本発明による大電流コネクタの好ましい実施形態の斜視図である。
【図２】図２は、図１の大電流コネクタの分解図である。
【図３】図３は、図１の大電流コネクタの接触要素を有する外部電流伝導要素を示す斜視図である。
【図４】図４は、図１の大電流コネクタの接触要素の斜視図である。
【発明を実施するための形態】
【００１２】
図１から４に示す大電流コネクタの好ましい実施形態は、ハウジング上部１０とハウジング下部１２とを有するハウジング、および外部電流伝導要素１４および接触要素１６を有する。接触要素１６は、ばね接触要素としてばね付薄板１８を有するばね付き薄板状ケージとして構成されており、前記接触要素１６は、第１の支持フレーム２０と第２の支持フレーム２２とを備え、その両者の間にばね付薄板１８が配置される。
【００１３】
ばね付薄板１８の対向する側は、それぞれ支持フレーム２０，２２の一方に電気的および機械的に接続されているとともに、ばね付薄板１８は支持フレーム２０，２２の半径方向内側および半径方向外側の空間またはばね付薄板状ケージの中に突出するように、支持フレーム２０，２２対して傾斜している。
【００１４】
接触要素１６は、ばね付薄板１８が接触要素１６の半径方向外周で外部電流伝導要素１４と電気接触を確立するように外部電流伝導要素１４内に配置されている。
【００１５】
ばね付薄板状ケージ１６は、ばね付薄板１８と支持フレーム２０，２２とを備え、断面矩形に形成されている。 
【００１６】
電気接触を確立するためには、同様に矩形の内部電流伝導要素（図示せず）をハウジング１０，１２の中、および接触要素１６の中に差し込めば、ばね付薄板１８が接触要素１６の内周で内部電流伝導要素と電気接触するようになる。接触要素１６は、このようにして内部電流伝導要素と外部電流伝導要素１４との間に配置され、電流を両者の間で伝導する。ばね付薄板１８と外部電流伝導要素１４との間が機械的に接触する結果として、ばね付薄板１８はその長軸を中心としてよじれ、その結果、ばね付薄板１８のねじれが生じ、ばね付薄板が、それに対応する弾性ばね力で外部電流伝導要素１４に押し付けられるため、それに対応する接触面とそれに対応する接触圧が電気接触に利用されるのである。
【００１７】
ラグ２４が、支持フレーム２０，２２の、ばね付薄板１８から互いに離れる方向を向いたそれぞれの軸方向端部に配置されている。前記ラグは、ハウジング１０，１２内部で接触要素１６を軸方向に固定する役割を果たす。その目的のため、ストッパの役目を果たす対応する立ち上がり２６が、組み立てたハウジング半体１０，１２によって形成されている。その結果、外部電流伝導要素１４にはアンダーカットは必要なく、むしろ、ハウジング半体１０，１２の組立てによって、接触要素１６の軸方向の固定が自動的に行われる。その目的のため、ハウジング半体１０，１２は、内部電流伝導要素をハウジング１０，１２または接触要素１６または外部電流伝導要素１４（プラグ側端部）の中に差し込むことができる軸方向端部において外部電流伝導要素１４を超えて軸方向に延在するように構成されている。また、ハウジング半体１０，１２は、前記ハウジング半体が外部電流伝導要素１４を超えて軸方向に延在する領域において半径方向内側に突出することにより、ラグ２４に対して軸方向のストッパを形成する立ち上がり２６を形成する。同時に、立ち上がり２６の前記ストッパは、また、ハウジング１０、１２の内部で外部電流伝導要素１４を軸方向に固定する。
【図１】
0005599907.tif 000002
【図２】
0005599907.tif 000003
【図３】
0005599907.tif 000004
【図４】
0005599907.tif 000005